【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
スラッジが第一の流量Ｑ（m3/h）で管を介して連続的に供給される加圧オンライン容器（５、６、３３、５２、８３、１１７、１１９、１３１）中、流量Ｑ′（Nm3/h）（Ｑ′＞５Ｑ）で容器（５）に注入される空気（１３）をスラッジ（２、３１、８１）に吹き付けることによって第一のスラッジエマルション（１４、５７、８９）を形成し、
前記第一のエマルションは、容器の出口から、圧力降下を生じさせる部材（１８、３８、６１）を介して排出され、次いで、そのようにして得られたエマルション（２３）の懸濁物をろ過して、又は沈降させて、連続的に移される液体部分（２７、４９、１０５、１１２）から分離させる、液体スラッジ（２、３１）を処理し、コンディショニングする方法であって、
空気をスラッジに吹き付けることによって、前記第一のエマルションを形成するために、スラッジ（２）及び空気（１３）が容器を有する第一のゾーン（８、５６、８４、１１７、１３３）に注入され、
次いで、そのようにして形成されたエマルションが、第一の所定の長さＬ1にわたって延びる容器の第二のゾーン（１６、５９、９１、１１９、１４１）に向けて排出され、第一のゾーンへの空気及びスラッジの注入ならびに長さＬ1が、空気中スラッジの滴から形成される前記第一のエマルションを構成するのに適切であり、
次いで、容器の前記第一のエマルションの前記排出が、圧力降下を生じさせる部材を介して、第二の所定の長さＬ2にわたって延びるチューブ式エンクロージャ（１９、４３、６２、１２１）中で実施され、このエンクロージャに少なくとも一つの凝集剤（２２、４５、７３、９８、１２３）が注入されて、前記エンクロージャ中に、凝固し、凝集したスラッジ中空気形の第二のエマルションが得られ、
前記ろ過（２５、２５’）又は沈降の前に、前記第二のエマルションがエンクロージャのガス抜き（２０）によって少なくとも部分的に脱ガスされる（２０、４６、６７）、方法。
【請求項２】
第一のゾーンが０．０５m3未満の容積を有する、請求項１記載の方法。
【請求項３】
第一の所定の長さＬ1が５０cmを超える、請求項１又は２記載の方法。
【請求項４】
第二の所定の長さＬ2が１mを超える、請求項３記載の方法。
【請求項５】
容器（５、３３）中の平均圧Ｐが１．５バール＜Ｐ＜１０バールであり、Ｑ′が１０Ｑ≦Ｑ′≦１００Ｑである、請求項１〜４のいずれか１項記載の方法。
【請求項６】
エマルションが、容器の出口で、かく拌手段（９６）を備えた脱ガスチャンバ（９５、１２４）の内側で強力に脱ガスされる、請求項１〜５のいずれか１項記載の方法。
【請求項７】
オンライン容器（８）が、平均直径ｄ及び高さＨ≧１０ｄを有するカラム（６）であり、スラッジ（２）が、カラムの下部（１０）の、前記スラッジ供給のレベルで注入される空気によって形成されるガス層に導入される、請求項１〜６のいずれか１項記載の方法。
【請求項８】
液体スラッジ（２）が、ガス流中への前記スラッジの粉砕を改善するために、カラム（６）中、容器の内部スクリーン又は壁（１１）に投射される、請求項７記載の方法。
【請求項９】
スラッジ（２）が、スタティックミキサを介して容器（５、６）の下部（１０）に導入される、請求項１〜８のいずれか１項記載の方法。
【請求項１０】
凝集剤（２２、４５、７３）が、ガス抜きの前に、容器の出口のすぐ近くに注入されるポリマーである、請求項１〜９のいずれか１項記載の方法。
【請求項１１】
砂、炭酸カルシウム、消石灰、酸化試薬及び／又は凝固を支援する試薬から選択される少なくとも一つの試薬が容器（６）より上流でスラッジ流に導入される、請求項１〜１０のいずれか１項記載の方法。
【請求項１２】
砂、炭酸カルシウム、消石灰、酸化試薬及び／又は凝固を支援する試薬から選択される少なくとも一つの試薬が容器より下流で導入される、請求項１〜１１のいずれか１項記載の方法。
【請求項１３】
エンクロージャ（１９、６２、９４）が、容器の平均スルー断面積に等しい平均スルー断面積を有するチューブ状である、請求項１〜１２のいずれか１項記載の方法。
【請求項１４】
エンクロージャが、容器（６、５２）の出口より下流で圧力降下を生じさせる少なくとも一つの要素（１８、６１、９７）を含み、その出口で凝集剤が注入される、請求項１３記載の方法。
【請求項１５】
エンクロージャが、第一の発生要素より上流で圧力降下を生じさせる少なくとも一つの第二の要素を含み、その出口で少なくとも一つの試薬及び／又は空気が導入される、請求項１４記載の方法。
【請求項１６】
圧力降下を生じさせる要素がベンチュリ管（１８、３８、４４、６４）である、請求項１〜１５のいずれか１項記載の方法。
【請求項１７】
濃縮器として働く、容積（１０１、１２８、１６６、１８０）中、凝集したエマルションの浮上／沈降により、スラッジの濃縮が急速及び／又は実質的に瞬間的に実施される、請求項１〜１６のいずれか１項記載の方法。
【請求項１８】
スラッジが濃縮器からのオーバーフローによって排出される、請求項１７記載の方法。
【請求項１９】
チューブ状エンクロージャより下流で、遠心分離、ろ過及び／又は圧搾によってスラッジの処理が実施される、請求項１〜１８のいずれか１項記載の方法。
【請求項２０】
注入された空気が加熱される、及び／又は水蒸気と混合される、請求項１〜１９のいずれか１項記載の方法。
【請求項２１】
空気が、スラッジ流中にらせん流を形成するように注入される、請求項１〜２０のいずれか１項記載の方法。
【請求項２２】
オンライン容器（５、６、３３、５２、８３、１１７、１１９、１３１）と、供給チューブを備え、容器にスラッジ（２、３１）を第一の流量Ｑ（m3/h）で連続的に供給するための手段（３、８２）と、前記容器に空気を流量Ｑ′（Nm3/h）（Ｑ′＞５Ｑ）で供給するための手段（８７）と、懸濁物から液体部分を分離し、それを連続的に回収するために配置された、そのようにして凝集させたエマルションをろ過する、及び／又は沈降させるための手段（２５、２５′、６８）とを含む、液体スラッジを処理し、コンディショニングするための装置であって、
スラッジ及び空気を容器の第一のゾーンに注入し、次いで混合物を第一の長さＬ1にわたって運んで、空気中スラッジの滴の第一のエマルションを形成するために、容器にスラッジ及び空気を供給するための手段（３、８２）が配置されており、
圧力降下を生じさせる部材（１８、３８，６１）を介する容器中に得られた第一のエマルションの排出のためのエンクロージャ（１９、３９、６２、９３、１２１）を含み、エンクロージャ（１９、３９、６２）が、所定の長さＬ2にわたって延びるチューブ状であり、ガス抜き手段と、少なくとも一つの凝集剤（２２、４５、７３）を前記ガス抜き（手段）より上流で前記チューブ状エンクロージャに注入して、凝固し、凝集したスラッジ中空気形の第二のエマルションを形成するための手段（２１、７２、９８、１２３）とを含む、装置。
【請求項２３】
容器の第一のゾーンが、二つのスルー壁の間に閉じ込められた０．０５m3未満の小さな容積を有する、請求項２２記載の装置。
【請求項２４】
オンライン容器（５、３３、５２）が、平均直径ｄ及び高さＨ≧１０ｄを有するカラム（６）であり、スラッジが、カラムの下部（１０）の、前記スラッジ供給のレベルで注入される空気によって形成されるガス層に導入される、請求項２２又は２３記載の装置。
【請求項２５】
カラム（６）が、スラッジの噴流を粉砕するための、カラムへの注入のための手段の出口に配置された内部スクリーンをさらに含む、請求項２４記載の装置。
【請求項２６】
容器より上流にスラッジのスタティックミキサを含む、請求項２２〜２５のいずれか１項記載の装置。
【請求項２７】
エンクロージャ（１９、６２、９４）が、容器の平均スルー断面積に等しい平均スルー断面積を有するチューブ状である、請求項２２〜２６のいずれか１項記載の装置。
【請求項２８】
チューブ状エンクロージャ（１６）が、容器の出口より下流で圧力降下を生じさせる少なくとも一つの要素（１８、４４、６１、９７）を含み、その出口で凝集剤が注入される、請求項２７記載の装置。
【請求項２９】
チューブ状エンクロージャが、第一の発生要素より前で圧力降下を生じさせる少なくとも一つの第二の要素（３８）を含み、その出口で少なくとも一つの試薬及び／又は空気が導入される（４２）、請求項２８記載の装置。
【請求項３０】
圧力降下を生じさせる要素がベンチュリ管である、請求項２８又は２９記載の装置。
【請求項３１】
容器より下流に、かく拌手段（９６）を備えた脱ガスチャンバ（９５、１２４）をさらに含む、請求項２２〜３０のいずれか１項記載の装置。
【請求項３２】
エンクロージャの下流に、所定の高さで凝集したスラッジの浮上を可能にするために配置された濃縮器として働く、容積（１０１、１２８、１６６、１８０）をさらに含む、請求項２２〜３１のいずれか１項記載の装置。
【請求項３３】
前記容積が、オーバーフローによってスラッジを排出するための手段（１０７；１５９、１６０；１７３、１７４）を含む、請求項３２記載の装置。
【請求項３４】
有機系スラッジから形成され、０．５〜０．９g/m3の密度を有する、請求項１〜２１のいずれか１項記載の方法によって得られる固化有機系スラッジケーキ。
【請求項３５】
８５％±５％に等しい気孔率を有する、請求項３４記載の有機系スラッジケーキ。